(57)【要約】【課題】本願発明は、ロープにかかるテンションの強弱によるロープの緊張又は弛緩を、適切に解消してスムーズにロープを移動することのできるエンドレス方式のウインチ及びエンドレス方式のウインチを用いたロープの移動システムを提供することを課題とする。【解決手段】モータ等の駆動源と、駆動源に連結して回転駆動する駆動軸、該駆動軸に取り付けられ回転する巻回ドラム、該巻回ドラムの外周縁に沿って形成されロープを巻回する溝の設けられたウインチ本体と、から構成されたエンドレス方式のウインチにおいて、前記ウインチ本体には駆動軸以外に複数本の回転軸が回転自在に軸支し、且つ該回転軸は連結体を介して駆動軸に連結することで、駆動軸及び回転軸に取り付けられた巻回ドラムを連動して回転すべく構成することである。【選択図】図１
2013018650.tif 000002
【特許請求の範囲】
【請求項１】
駆動部、制御部の設けられた駆動源と、駆動源に連結して回転駆動する駆動軸、該駆動軸に取り付けられた巻回ドラム、該巻回ドラムの外周縁に沿って形成された溝の設けられたウインチ本体と、から構成されたエンドレス方式のウインチにおいて、前記ウインチ本体には駆動軸以外に巻回ドラムを取り付ける複数本の回転軸を回転自在に軸支し、且つ該回転軸は連結体を介して駆動軸に連結され、駆動軸と連動して回転すべく構成されていることを特徴とするエンドレス方式のウインチ。
【請求項２】
駆動源に連結した駆動軸を回転駆動し、該駆動軸に取り付けられた巻回ドラムを回転して該巻回ドラムの外周縁に沿って形成された溝にウインチ本体に取り入れ移動したロープを巻回した後、該ロープを溝より取り出し移動するエンドレス方式のウインチを用いたロープの移動システムにおいて、前記駆動軸の回転駆動によりウインチ本体に軸支し巻回ドラムの取り付けられた複数本の回転軸を連動して回転し各巻回ドラムを回転することで、各巻回ドラムの溝に沿って１本又は複数本のロープをそれぞれ同期して移動することを特徴とするエンドレス方式のウインチを用いたロープの移動システム。
【発明の詳細な説明】
【技術分野】
【０００１】本発明は、例えば、球技用の屋内外の施設の防球用のネットを緊張した状態で吊り張りする際、該ネットに連結したロープを移動するのに使用、又はテント用のシートを吊り張りする際、該シートに連結したロープを移動するのに使用するエンドレス方式のウインチ及び該ウインチを用いたロープの移動システムに関するものである。
【技術の背景】
【０００２】従来、屋内の空間部の外周に沿って緊張状態で吊り張りする防球用のネット、又は屋外の空間部の外周に沿って吊り張りするゴルフ練習場の防球用のネットは、該ネットに間接又は直接的に連結したロープをウインチで移動することで空間部に沿って、昇降移動又は水平移動して吊り張りする。
【０００３】また、テント用のシートも同様に該シートに間接又は直接的に連結したロープをウインチで移動することでテントを吊り張りする。
【０００４】上記ネット又はシートに連結したロープを移動するウインチ、特にエンドレス方式のウインチの基本構成は、駆動部、制御部等の設けられた駆動源と、該駆動源に連結して回転駆動する駆動軸、該駆動軸に取り付けられ外周縁に沿って溝の形成された巻回ドラム、該巻回ドラムの近傍に取り付けられた案内ローラの設けられたウインチ本体と、から構成されている。
【０００５】上記ウインチでネット又はシートに連結されたロープは、案内ローラを介してウインチ本体に取り入れ、駆動軸を駆動して巻回ドラムを回転することで一方側より外周縁の形成された溝に沿ってロープを約一周巻回し、近接する他方側の溝よりロープを取り出し、案内ローラを介してロープをウインチ本体より取り出すことで、ウインチ本体にセットした後、前記０巻回ドラムを正・逆回転してロープを移動することで、ネット又はシートを吊り張りする。
【０００６】また、上記ネット又はシートの大きさにより、転結するロープの本数が多くなり、ロープの本数に応じたウインチを設置して各ロープを移動する。
【０００７】尚、本発明においてロープとは、ワイヤロープや最新の樹脂製ロープ等のネットの重量に対応可能なロープの総称として記載する。
【発明が解決しようとする課題】
【０００８】しかしながら、上記ロープはネット又はシートに連結して移動するために、連結するネット又はシートの面積の大小によりロープにかかる荷重がウインチへの取り入れ側とウインチよりの取り出し側で相違し、ロープを移動する場合に、巻回ドラムの溝側へのロープの押さえを荷重の相違に対応して調整しなければ、ロープを適切に移動することができないという欠点があった。
【０００９】また、ロープにかかる荷重はウインチ本体へのロープの取り入れ側と取り出し側とで相違するために、一方側にロープの弛みや撓みが発生し易く、該弛みや撓みの解消は、両端側を弾性体に連結したローラーチェーン等を巻回ドラムの外周に沿って取り付けなければ弛み等を解消できなく、その構成が煩雑であるという欠点があった。
【００１０】また、複数本のロープを同時に移動する場合は、複数個のウインチを用いて移動しなければならないが、ウインチの数が多くなるほどウインチ間の調整が煩雑となるという大きな問題点があった。
【００１１】そこで、本発明は上記問題点を解決し、ロープにかかる荷重に対応してスムーズにロープを移動でき、ロープの弛み等を解消することができ、また同時に複数本のロープを移動することのできるエンドレス方式のウインチ及び該ウインチを用いたロープの移動シスムを提供することを課題とする。
【課題を解決するための手段】
【００１２】上記課題を解決する手段としてのウインチは、請求項１に記載のように、駆動部、制御部の駆動源と、駆動源に連結して回転駆動する駆動軸、該駆動軸に取り付けられた巻回ドラム、該巻回ドラムの外周縁に沿って形成された溝の設けられたウインチ本体と、から構成されたエンドレス方式のウインチにおいて、前記ウインチ本体には駆動軸以外に巻回ドラムを取り付ける複数本の回転軸が回転自在に軸支し、且つ該回転軸は連結体を介して駆動軸に連結され、駆動軸と連動して回転すべく構成されていることを特徴とする。
【００１３】また、課題を解決する手段としてのシステムは、請求項２に記載のように、駆動源に連結した駆動軸を回転駆動し、該駆動軸に取り付けられた巻回ドラムを回転して該巻回ドラムの外周縁に沿って形成された溝にウインチ本体に取り入れ移動したロープを巻回した後、該ロープを溝より取り出し移動するエンドレス方式のウインチを用いたロープの移動システムにおいて、前記駆動軸の回転によりウインチ本体に軸支し巻回ドラムの取り付けられた複数本の回転軸を連動して回転し該巻回ドラムを回転することで、巻回ドラムの溝に沿って１本又は複数本のロープをそれぞれ同期して移動することを特徴とする。
【発明の作用効果】
【００１４】本発明のエンドレス方式のウインチ及び該ウインチを用いたロープの移動システムの作用効果について説明する。
【００１５】本発明の請求項１のエンドレス方式のウインチの作用は、先ず、駆動源によりウインチ本体に取り付けられた駆動軸を回転駆動し、該駆動軸に連結体を介して連結し、ウインチ本体に回転自在に軸支した複数個の回転軸を連動して回転することで、該駆動軸及び回転軸にそれぞれ取り付けられた巻回ドラムをそれぞれ回転する。
【００１６】上記巻回ドラムを回転した状態でウインチ本体にロープを取り入れる。
【００１７】前記ウインチ本体に取り入れたロープは、先ず１つ目の巻回ドラムの溝に取り入れられ、該巻回ドラムの溝に沿って巻回移動した後、近接する他の巻回ドラムの溝側に移動し該他の巻回ドラムの溝に沿って巻回移動し、順次近接する次の巻回ドラムの溝に沿って巻回し最後の巻回ドラムの溝より取り出し、ウインチ本体より取り出し移動する。
【００１８】前記各巻回ドラムは連動して回転しているために、巻回ドラムの溝に巻回したロープは巻回ドラムの回転により移動するとともに連動して回転する近接する次の巻回ドラムの回転で順次同じ速度で引っ張られながら移動する。
【００１９】従って、ロープにかかるテンションが大きくロープが緊張する場合は、それぞれの巻回ドラムで順次ロープの緊張を解消しながら移動し、又ロープにかかるテンションが弱くロープが弛緩する場合は、それぞれの巻回ドラムで順次弛緩を解消しながら移動し、適切なロープの移動を可能とする。
【００２０】次に、本発明の請求項２のエンドレス方式のウインチを用いたロープの移動システムは、駆動軸の回転駆動によりウインチ本体に軸支した複数本の回転軸を連動して回転し、該駆動軸及び回転軸にそれぞれ取り付けられた巻回ドラムを回転する。
【００２１】そして、上記巻回ドラムの溝側にロープを取り入れ、該溝に沿ってロープを巻回するとともに、近接する次の巻回ドラムの溝に沿ってロープを送り移動して巻回することを順次繰り返し、最後の巻回ドラムの溝よりロープを取り出す。
【００２２】この際、各巻回ドラムが連動して回転しているために、ロープは各巻回ドラムの回転により順次引っ張られながら移動し、適切なロープ移動を可能とする。
【００２３】また、複数本のロープを同時に移動する場合は、それぞれ取り入れたロープを１又は２以上の巻回ドラムの溝に巻回して移動する。
【００２４】この際、各巻回ドラムは連動して回転しているために、各ロープはそれぞれ同期して移動することとなり、従来のようなウインチ間の煩雑な調整を必要としない。
【００２５】このように、本発明のエンドレス方式のウインチ、及びエンドレス方式のウインチを用いたロープの移動システムは、駆動軸に連動して回転軸を回転することで、巻回ドラムに巻回してロープを移動することができ、ロープを順次同じ速度で引っ張りスムーズな移動を可能とする。
【００２６】また、ロープを同期して移動できるので同時に複数のロープを適切に移動することができる。
【００２７】また、ロープにかかるテンションの強弱によるロープの緊張又は弛緩を各巻回ドラムの連動した回転及び引っ張りにより解消しながらロープを移動することができる。
【発明を実施するための最良の形態】
【００２８】以下、本発明のエンドレス方式のウインチ及びエンドレス方式のウインチを用いたロープの移動システムの一実施例について図面を用いて説明する。【００２９】図１は本発明のエンドレス方式のウインチの第１実施例を示す概略説明平面図であり、図２は図１のエンドレス方式のウインチによるロープの移動を示す概略説明平面図であり、図３は図１のエンドレス方式のウインチによるロープの他の移動方法を示す概略説明平面図であり、図４は図１のエンドレス方式のウインチに巻回リールを取り付けた状態を示す概略説明平面図であり、図５は本発明のエンドレス方式のウインチの第２実施例を示す概略説明平面図であり、図６は本発明のエンドレス方式のウインチの第３実施例を示す概略説明平面図であり、図７は図６のエンドレス方式のウインチのロープの他の移動方法を示す概略説明平面図であり、図８は本発明のエンドレス方式のウインチの第４実施例を示す概略説明平面図であり、図９は図８のエンドレス方式のウインチによるロープの他の移動方法を示す概略説明平面図であり、図１０は本発明のエンドレス方式のウインチの第５実施例を示す概略説明平明図である。【００３０】（第１実施例）
本発明のエンドレス方式のウインチ１は、モータによる駆動部、制御部を有する駆動源（図示せず）と、該駆動源に連結し回転駆動する駆動軸２を軸支したウインチ本体７から構成されている。【００３１】前記ウインチ本体７には、駆動軸２を頂点とし三角形を形成する底辺側の２点に回転自在に軸支した２本の回転軸４（４Ａ、４Ｂ）と、駆動軸２の上方側に並行に上部回転軸４Ｃを軸支し、駆動軸２及び回転軸４Ａ、４Ｂには外周縁に溝８の形成された巻回ドラム５（５ａ、５Ａ、５Ｂ）が取り付けられ、前記回転軸４（４Ａ、４Ｂ）の下方側にはロープ１０を取り入れ及び取り出し移動する一対の案内ローラ６（６Ａ、６Ｂ）を軸支している。【００３２】前記駆動軸２と各回転軸４（４Ａ、４Ｂ、４Ｃ）とは連動して回転すべく連結体３で連結されている。【００３３】前記連結体３は、駆動軸２及び各回転軸４（４Ａ、４Ｂ、４Ｃ）に取り付けられたプーリ２０と、プーリ２０に連結したベルト２１から構成されている。前記ベルト２１は、駆動軸２より回転軸４Ａ、回転軸４Ｃ、回転軸４Ｂ、駆動軸２へと架け渡すことで、回転軸４Ａ、４Ｂ、４Ｃと駆動軸２との回転方向を逆方向で連動して回転する。【００３４】尚、本発明において連結体３の構成は前記プーリ２０とベルト２１に限定されるものでなく、例えば、駆動軸２及び回転軸４は歯車を介して連動すべく構成することも可能である。要は、駆動軸２の回転駆動を回転軸４に伝達することができる構成であればよい。【００３５】上記により、駆動軸２及び回転軸４Ａ、４Ｂに取り付けた巻回ドラム５（５ａ、５Ａ、５Ｂ）を同期して所望の方向に回転することができる。【００３６】本発明のエンドレス方式のウインチ１は上記のように構成され、次にネット又はシートに連結したロープ１０をエンドレス方式のウインチ１を用いて移動する場合について説明する。【００３７】先ず、駆動源を駆動してウインチ本体７に軸支した駆動軸２を反時計方向に回転駆動するとともにベルト２１を介して３本の回転軸４Ａ、４Ｂ、４Ｃをそれぞれ時計方向に回転する。【００３８】この際、上記のように４本の軸を利用してベルト２１を架け渡しているために、駆動軸２と回転軸４Ａ、４Ｂ、４Ｃとは回転方向が逆方向となる。【００３９】上記駆動軸２を駆動した状態で、ロープ１０をウインチ本体７に軸支した一方の案内ローラ６Ａを介して取り入れ、回転軸４Ａに取り付けられた巻回ドラム５Ａ側へ移動すると、該巻回ドラム５Ａの時計方向への回転によりロープ１０を内側の溝８に沿って移動し、駆動軸２に取り付けられた巻回ドラム５ａの溝８側に移動すると、該巻回ドラム５ａの反時計方向への回転によりロープ１０を溝８に略半周ほど巻回した後、回転軸４Ｂに取り付けられた巻回ドラム５Ｂ側に移動すると、該巻回ドラム５Ｂの時計方向への回転によりロープ１０を内側のみぞ８に沿って移動し、他方の案内ローラ６Ｂを介してロープ１０をウインチ本体７より取り出し移動する。【００４０】この際、上記ロープ１０は、各巻回ドラム５ａ、５Ａ、５Ｂの同期した回転によりロープ１０を送り移動する距離は同じであり、ロープ１０のウインチ本体７への取り入れ側と取り出し側とでロープ１０にかかるテンションの強弱が相違しても、ロープ１０を順次同じ速度で送り移動することができる。【００４１】また、上記のようにロープ１０を移動すると、巻回ドラム５Ａ、５Ｂの相対する内側溝１０でロープ１０のウインチ本体７側への取り入れ側と取り出し側の幅を押圧しながら移動するために、ロープ１０に発生する弛み等を解消するように調整して移動することとなる。【００４２】従って、上記各巻回ドラム５ａ、５Ａ、５Ｂの同期した回転及び巻回ドラム５Ａ、５Ｂによる幅調整との組み合わせにより、ロープ１０をスムーズに移動することができる。【００４３】また、駆動軸２の回転方向を変更しても、駆動軸２と回転軸４Ａ、４Ｂ、４Ｃとの回転方向を変更するだけで、同様にロープ１０のスムーズな移動を可能とする。【００４４】尚、上記実施例では、ロープ１０を巻回ドラム５Ａ、５Ｂの間で挟むように移動したが、本実施例においてロープ１０の移動方向は、これに限定されるものでなく、例えば、図３に示すように、各巻回ドラム５Ａ、５ａ、５Ｂの溝８にそれぞれロープ１０を略半周ほど巻回することで、ロープ１０のウインチ本体７への取り出し側と取り入れ側との幅を拡大するとともに、巻回ドラム５Ａ、５Ｂによるロープ１０の押圧幅調整を行うことなくロープ１０を移動することができる。【００４５】また、案内ローラ６の取付位置によりロープ１０のウインチ本体７への取り出し側と取り入れ側の方向を相違することも可能である。【００４６】また、各巻回ドラム５Ａ、５ａ、５Ｂは連動して回転しているために、ロープ１０の送り移動する距離が同じであり、ロープ１０は移動しながら弛み等を解消して移動することとなる。【００４７】また、図４のように、ロープ１０を巻回した巻回りール１２を使用する場合は、該巻回りール１２より取り出したロープ１０を巻回ドラム５Ａの外側溝８に巻回し、巻回ドラム５ａの溝８に略半周ほど巻回した後、巻回ドラム５Ｂの内側の溝８を介してウインチ本体７より取り出し移動するように移動する。【００４８】この際も同様に、各巻回ドラム５Ａ、５ａ、５Ｂが同期して移動するためにロープ１０を同じ距離移動するために、ロープ１０を適切に巻回リール１２より取り出し移動、及び巻き取り移動することができる。【００４９】また、巻回ドラム５Ａのプーリ２０と巻回リール１２のプーリ２０とをベルト２１を介して連結することで巻回リール１２に巻回されたロープ１０の取り出し又は巻き取り距離と各巻回ドラム５ａ、５Ａ、５Ｂの引っ張り距離とを同期して移動することができる。【００５０】（第２実施例）
本発明のエンドレス方式のウインチ１の上記第１実施例との相違点は、図５に示すように回転軸４Ｃにさらに巻回ドラム５Ｃを取り付けた構成である。【００５１】次に、本発明のエンドレス方式のウインチ１を用いてロープ１０を移動する場合について説明する。【００５２】先ず、ウインチ本体７に取り入れられたロープ１０は、時計方向に回転する巻回ドラム５Ａの内側溝８に移動し、反時計方向に回転する巻回ドラム５ａの一方の溝８を介して、時計方向に回転する巻回ドラム５Ｃの溝８に略１周巻回した後、交差した状態で前記巻回ドラム５ａの他方の溝８を介して、時計方向に回転する巻回ドラム５Ｂの相対する内側溝８に移動し、ウインチ本体７より取り出し移動する。【００５３】この際、巻回ドラム５ａ、５Ｃでロープ１０を巻回して移動しているために、第１実施例より多くの巻回ドラム５でロープ１０を引っ張り移動でき、ロープ１０の強いテンションに対しても対応して移動することができる。【００５４】また、実施例１の場合と同様に、巻回ドラム５Ａ、５Ｂの相対する内側溝８でロープ１０を押圧しているために、ロープ１０に発生する弛み等をこの部分でも解消しながら移動することができる。【００５５】（第３実施例）
本発明のエンドレス方式のウインチ１は、図６で示すように、駆動軸２と２本の回転軸４（４Ａ、４Ｂ）を三角形の頂点としてウインチ本体７に軸支し、三角状にベルト２１を連結した構成である。【００５６】上記エンドレス方式のウインチ１でロープ１０を移動する場合は、ウインチ本体７に取り入れたロープ１０を反時計方向に回転する巻回ドラム５Ａの外側溝８を介して移動し、同様に反時計方向に回転する巻回ドラム５ａの溝８に略半周ほど巻回した後、同様に反時計方向に回転する巻回ドラム５Ｂの外側溝８を介してロープ１０を取り出し移動する。【００５７】この際、３個の巻回ドラム５ａ、５Ａ、５Ｂが連動して回転するために、ロープ１０は順次同じ速度で送り移動することができ、スムーズなロープ１０の移動を行える。【００５８】また、上記エンドレス方式のウインチ１を用いて、複数本のロープ１０を移動する場合は、図７に示すように各巻回ドラム５ａ、５Ａ、５Ｂにそれぞれロープ１０を巻回することで、同時に同期して複数本のロープ１０を移動することができる。【００５９】このため、少ないウインチ１でネット又はシートを移動することができ、また各ウインチ１間の調整の容易である。【００６０】また、各ロープ１０の取り出し方向は自在に変更することができるので、ウインチ１の取り付け位置を自在に設定することができる。【００６１】（第４実施例）
本発明のエンドレス方式のウインチ１は、図９に示すように、駆動軸２及び２本の回転軸４（４Ａ、４Ｂ）をウインチ本体７に等間隔で水平に位置するように軸支し、各駆動軸２及び回転軸４Ａ、４Ｂ間をそれぞれベルト２１で連結することで駆動軸２及び回転軸４Ａ、４Ｂに取り付けられた巻回ドラム５ａ、５Ａ、５Ｂを同期して回転するように構成している。【００６２】上記エンドレス方式のウインチ１でロープ１０を移動する場合は、ウインチ本体７に取り入れたロープ１０を反時計方向に回転する巻回ドラム５Ａの外側溝８を介して移動し、隣り合う反時計方向に回転する巻回ドラム５ａの外側溝８を介して移動し、隣り合う反時計方向に回転する巻回ドラム５Ｂの溝８に略半周巻回した後、再度巻回ドラム５ａの反対外側溝８、巻回ドラム５Ａの反対外側溝８を介して取り出し移動する。【００６３】この際、上記並行状態に設置した巻回ドラム５ａ、５Ａ、５Ｂが同期して移動しているために、ロープ１０を強い力で移動することができ、スムーズなロープ１０の移動を可能とする。【００６４】また、本発明のエンドレス方式のウインチ１を用いて複数本のロープ１０を移動する場合は、図８に示すように、各巻回ドラム５Ａ、５ａ、５Ｂにそれぞれロープを巻回し、同期して移動する。【００６５】この場合、それぞれのロープ１０の一端側をネット又はシートに連結することで、同期してネット又はシートを移動することができる。【００６６】また、少ないウインチ１でネット又はシートを移動できるのでウインチ１間の調整が容易である。【００６７】（第５実施例）
本発明のエンドレス方式のウインチ１は、ウインチ本体７に設けられた駆動軸２と、５本の回転軸４（４Ａ、４Ｂ、４Ｃ、４Ｄ、４Ｅ）を軸支する。駆動軸２と回転軸４との６本をそれぞれ３本づつ等間隔で配置し、ベルト２１を回転軸４Ａ、回転軸４Ｂ、駆動軸２、回転軸４Ｃ、回転軸４Ｄ、及び回転軸４Ｅを介して連結して構成する。【００６８】上記駆動軸２と回転軸４Ｂが同じ方向に回転し、回転軸４Ａ、４Ｃ、４Ｄ、４Ｅが同じ方向に回転する。【００６９】本発明のエンドレス方式のウインチ１は上記のように構成され、該ウインチ１でロープ１０を移動する場合について説明する。【００７０】先ず、ウインチ本体７に取り入れたロープ１０は、時計方向に回転する回転軸４Ａに取り付けた巻回ドラム５Ａの内側溝８を介して移動し、反時計方向に回転する駆動軸２に取り付けた巻回ドラム５ａの溝８に略半周巻回し、反時計方向に回転する回転軸４Ｂに取り付けた巻回ドラム５Ｂに略半周巻回し、時計方向に回転する回転軸４Ｃに取り付けられた巻回ドラム５Ｃの内側溝８を介してウインチ本体７より取り出し移動する。【００７１】この際、駆動軸２と回転軸４Ｂの距離を広げ、回転軸４Ａと回転軸４Ｃとの距離を狭めることで、ウインチ本体７へのロープ１０の取り入れ側及び取り出し側の距離を調整してロープ１０への押圧を調整することができ、ロープ１０のテンションの強弱に対応することができる。【００７２】尚、上記各実施例では、駆動軸２を中間部に軸支したが、ロープ１０を取り入れ側の最初に駆動軸２を軸支することも可能である。要は、各回転軸４と連結し同期して回転することができるなら駆動軸２の位置は限定されない。【００７３】また、上記実施例では、巻回ドラム５の設置する数は３及び４個で説明したが、本発明において巻回ドラム５の設置する数はこれに限定されるものでなく、２個又は４個以上設置することも可能である。【００７４】また、上記実施例では、巻回ドラム５の径は同一の径を用いて説明したが、複数本のロープ１０をそれぞれの巻回ドラム５で移動する場合には、相違する径の巻回ドラム５を設置することも可能である。
【図面の簡単な説明】
【００７５】
【図１】本発明のエンドレス方式のウインチの第１の実施例を示す概略説明平面図
【図２】図１のエンドレス方式のウインチによるロープの移動を示す概略説平面図
【図３】図１のエンドレス方式のウインチによるロープの他の移動方法を示す概略説明平面図
【図４】図１のエンドレス方式のウインチに巻回リールを取り付けたロープの移動を示す概略説明平面図
【図５】本発明のエンドレス方式のウインチの第２実施例を示す概略説明平面図
【図６】本発明のエンドレス方式のウインチの第３実施例を示す概略説明平面図
【図７】図６のエンドレス方式のウインチによるロープの他の移動方法を示す概略説明平面図
【図８】本発明のエンドレス方式のウインチの第４実施例を示す概略説明平面図
【図９】図８のエンドレス方式のウインチによるロープの他の移動方法を示す概略説明平面図
【図１０】本発明のエンドレス方式のウインチの第５実施例を示す概略説明平面図
【符号の説明】
【００７６】１−エンドレス方式のウインチ、２−駆動軸、３−連結体、４−回転軸、５−巻回ドラム、１０−ロープ
【図１】
2013018650.tif 000003
【図２】
2013018650.tif 000004
【図３】
2013018650.tif 000005
【図４】
2013018650.tif 000006
【図５】
2013018650.tif 000007
【図６】
2013018650.tif 000008
【図７】
2013018650.tif 000009
【図８】
2013018650.tif 000010
【図９】
2013018650.tif 000011
【図１０】
2013018650.tif 000012